(57)【要約】【課題】限られたスペース内であっても、音声出力バランスを効率良く変化させること。【解決手段】スピーカー本体と該スピーカー本体の前面側に前気室を確保すると共に後面側に後気室を確保した状態で、スピーカー本体を閉塞した内部空間に収納する収納体２２と、前気室と外部とを連通するように収納体に形成され、スピーカー本体から発せられた音声を外部に出力する放音孔２３と、収納体とスピーカー本体との位置関係を相対的に可変させて、前気室と後気室との容積比率を変化させる可変手段２４と、を備えているスピーカー機構２０を提供する。【選択図】図２
2010034681.tif 000002
【特許請求の範囲】
【請求項１】
スピーカー本体と
該スピーカー本体の前面側に前気室を確保すると共に後面側に後気室を確保した状態で、スピーカー本体を閉塞した内部空間に収納する収納体と、
前記前気室と外部とを連通するように前記収納体に形成され、前記スピーカー本体から発せられた音声を外部に出力する放音孔と、
前記収納体と前記スピーカー本体との位置関係を相対的に可変させて、前記前気室と前記後気室との容積比率を変化させる可変手段と、を備えていることを特徴とするスピーカー機構。
【請求項２】
請求項１に記載のスピーカー機構において、
前記収納体には、前記後気室と外部とを連通するように形成され、前記スピーカー本体から発せされた音声を外部に出力するバス用放音孔が設けられていることを特徴とするスピーカー機構。
【請求項３】
請求項２に記載のスピーカー機構において、
前記バス用放音孔は、前記後気室の容積が前記前気室の容積より小さく、且つ、両気室の容積差が予め決められた一定値以上に開いたときに遮断されることを特徴とするスピーカー機構。
【請求項４】
請求項１から３のいずれか１項に記載のスピーカー機構において、
前記収納体は、互いに開口を対向させた状態で配置された一対のカップ状部材と、これら一対のカップ状部材の開口側から両端が挿入された状態でスライド移動可能に組み合わされ、内周面に前記スピーカー本体が固定された筒状部材と、を備え、
前記可変手段は、前記筒状部材をスライド移動させて前記容積比率を変化させることを特徴とするスピーカー機構。
【請求項５】
請求項１から３のいずれか１項に記載のスピーカー機構において、
前記収納体は、互いに開口を対向させた状態で配置され、互いに接近離間する方向にそれぞれスライド移動可能とされた一対のカップ状部材と、該一対のカップ状部材の開口側から両端が挿入された状態で組み合わされ、内周面に前記スピーカー本体が固定された筒状部材と、を備え、
前記可変手段は、前記一対のカップ状部材をそれぞれスライド移動させて前記容積比率を変化させることを特徴とするスピーカー機構。
【請求項６】
請求項１から３のいずれか１項に記載のスピーカー機構において、
前記可変手段は、前記スピーカー本体に固定されたプレートと、該プレートを前記収納体に回動自在に固定するヒンジ部と、該ヒンジ部を中心としてプレートを回動させて、前記容積比率を変化させる回動機構と、を備えていることを特徴とするスピーカー機構。
【請求項７】
請求項１から６のいずれか１項に記載のスピーカー機構と、
前記収納体が内蔵されると共に前記放音孔に連通するスピーカー孔が形成された筐体と、
該筐体に設けられた入力部と、
前記筐体内に内蔵され、前記入力部で入力された入力信号に基づいて前記スピーカー本体を作動させる制御部と、を備えていることを特徴とする電子機器。
【請求項８】
請求項７に記載の電子機器において、
前記制御部は、前記入力信号に基づいて前記可変手段に作動信号を出力する作動信号制御部を有し、
前記可変手段は、前記作動信号が送られてきたときに前記容積比率を変化させることを特徴とする電子機器。
【請求項９】
請求項８に記載の電子機器において、
前記入力部は、異なるアプリケーションを作動させる複数の機能スイッチを有し、
前記作動信号制御部は、選択された前記機能スイッチに対応した前記アプリケーションに最適な前記容積比率を算出すると共に、算出した容積比率となるように前記可変手段に制御信号を出力し、
前記可変手段は、前記制御信号に基づいて前記容積比率を変化させることを特徴とする電子機器。
【発明の詳細な説明】
【技術分野】
【０００１】
本発明は、スピーカー機構及びこれを備える電子機器に関するものである。
【背景技術】
【０００２】
現在、携帯電話機、ＰＤＡ等の携帯情報端末、電子辞書やノート型パソコン等、数多くの電子機器が提供されている。この種の電子機器には、通常音声を出力するためのスピーカーが内蔵されており、必要に応じて様々な種類の音声を出力している。ここで、スピーカーの一般的な取付構造について図面を参照して簡単に説明する。
【０００３】
図２７に示すように、スピーカー１００は、一般的に電子機器の筐体１０１の裏面にネジ止めや接着剤等により直接固定されている。この際、スピーカー１００が固定されている箇所の筐体１０１には、複数の放音孔１０２が形成されている。なお、筐体１０１とスピーカー１００との間には、スピーカー１００を防水及び防塵するためのメッシュ部材（例えばサランネット）１０３が介在されている。
また、スピーカー１００は、筐体１０１に一体的に形成された壁部等で囲まれた収納室内に収納された状態となっている。この収納室は、スピーカー１００から音声を出力した際に該音声を反響させるための後気室Ｒとからなるものである。
【０００４】
このような構成のもとスピーカー１００から音声を出力させると、図２８に示すように、スピーカー１００の前面側からでた音声が放音孔１０２を通過して筐体１０１の外部に出力されると共に、後面側から出た音声が後気室Ｒ内で反響した後にスピーカー１００の前面側に回りこんで放音孔１０２から筐体１０１の外部に出力される。つまり、スピーカー１００の前面側から直接出力された音声と、後気室Ｒで反響した音声とが混じり合った状態で出力されている。
【０００５】
ところで、電子機器により各種の音声を聴く際、音声の種類によっては音質、音域や音圧等を変化させて音声出力のバランスを調整したいというニーズがある。例えば、音楽を聴く場合と、語学音声を聴く場合とでは、それぞれに合った最適な音声出力バランスで音声を聴きたいという要求がある。
しかしながら、上述したように一般的なスピーカー１００は、筐体１０１内の限られたスペース内に取り付けられているので、後気室Ｒの容積が予め決まったものとなっている。そのため、音声出力バランスを適宜変えることができず、上述したニーズに応えられるものではなかった。
【０００６】
一方、後気室の容積を変化させることができるスピーカー装置が知られている（特許文献１参照）。このスピーカー装置は、筒状部材と、該筒状部材に対して出没可能なカップ状部材とで後気室が構成されている。そのため、カップ状部材を出没させることで、後気室の容積を適宜変化させることができるようになっている。これにより、後気室内での反響具合を適宜変化させることができ、音声出力バランスを変えることができるようになっている。
【特許文献１】特開２００７−１４２７８３号公報
【発明の開示】
【発明が解決しようとする課題】
【０００７】
しかしながら、このスピーカー装置では、後気室の容積しか変化させることができないので、音声出力バランスを変化させることができるとはいえ、限度があるものであった。特に近年の多種多様な音声情報に対応するために、音声出力バランスも効率良く変化させたいが、単に後気室の容積を変化させるだけでは音声出力バランスを効率良く変化させることが難しかった。しかも、電子機器等の筐体内で確保できるスペースも限られているため、後気室の容積を大幅に変化させることが難しい。従って、音声出力バランスを効率良く変化させることができるものではなかった。
【０００８】
本発明は、このような事情に考慮してなされたもので、その目的は、限られたスペース内であっても、音声出力バランスを効率良く変化させることができるスピーカー機構及びこれを備えた電子機器を提供することである。
【課題を解決するための手段】
【０００９】
本発明は、前記課題を解決するたに以下の手段を提供する。
本発明に係るスピーカー機構は、スピーカー本体と該スピーカー本体の前面側に前気室を確保すると共に後面側に後気室を確保した状態で、スピーカー本体を閉塞した内部空間に収納する収納体と、前記前気室と外部とを連通するように前記収納体に形成され、前記スピーカー本体から発せられた音声を外部に出力する放音孔と、前記収納体と前記スピーカー本体との位置関係を相対的に可変させて、前記前気室と前記後気室との容積比率を変化させる可変手段と、を備えていることを特徴とする。
【００１０】
この発明に係るスピーカー機構においては、スピーカー本体を作動させて音声を発生させると、該音声が収納体の内部空間に確保された前気室内及び後気室内でそれぞれ反響しながら混じり合った後に、放音孔から外部に出力される。この際、可変手段により収納体とスピーカー本体との位置関係を相対的に可変させて、前気室の容積と後気室の容積との比率を変化させることができる。そのため、前気室及び後気室内でそれぞれ反響する音声の反響具合を調整することができ、放音孔から出力される音声の音質、音域や音圧等を変化させて、音声出力バランスを適宜変化させることができる。
【００１１】
特に、後気室の容積しか変化させることができなかった従来のものとは異なり、前気室及び後気室の容積比率を変化させることができる。従って、音声出力バランスを従来よりも容易にしかも効率良く変化させることができ、多種多様な音声情報に対応した出力調整を行うことができる。特に、前気室及び後気室を両方使用できるので、限られたスペース内であっても、音声出力バランスを効率良く変化させることができる。
【００１２】
また、本発明に係るスピーカー機構は、上記本発明のスピーカー機構において、前記収納体には、前記後気室と外部とを連通するように形成され、前記スピーカー本体から発せされた音声を外部に出力するバス用放音孔が設けられていることを特徴とする。
【００１３】
この発明に係るスピーカー機構においては、収納体に後気室と外部とを連通するバス用放音孔が形成されている。特に、スピーカー本体の後面側に発せられ、後気室内で反響する音声は、前面側に発せられる音声よりも音域が低い。つまり、低音域の音声が主となる。そのため、この低音域の音声をバス用放音孔から外部に出力することができる。従って、前気室側に形成された放音孔から出力される音声に加え、低音域の音声を積極的にバス用放音孔から出力することができる。これにより、より効率良く音声出力バランスを変化させることができ、音声の出力調整を行うことができる。
【００１４】
また、本発明に係るスピーカー機構は、上記本発明のスピーカー機構において、前記バス用放音孔が、前記後気室の容積が前記前気室の容積より小さく、且つ、両気室の容積差が予め決められた一定値以上に開いたときに遮断されることを特徴とする。
【００１５】
この発明に係るスピーカー機構においては、可変手段によって容積比率を変化させたときに、後気室の容積が前気室の容積より小さく、且つ、容積差が予め決められた一定値以上に開いたときに、バス用放音孔が遮断される。つまり、後気室の容積が前気室の容積よりも十分に小さくなってしまった場合（例えば、後気室の容積と前気室の容器との比率が、１：９や２：８になってしまった場合等）には、低音域の音声を後気室で十分に反響させることができず、低音域の音声出力をそれほど期待することができない。そこで、バス用放音孔を遮断する。これにより、無駄にバス用放音孔から音声を出力してしまうといったことを防止することができる。
【００１６】
また、本発明に係るスピーカー機構は、上記本発明のスピーカー機構において、前記収納体が、互いに開口を対向させた状態で配置された一対のカップ状部材と、これら一対のカップ状部材の開口側から両端が挿入された状態でスライド移動可能に組み合わされ、内周面に前記スピーカー本体が固定された筒状部材と、を備え、前記可変手段が、前記筒状部材をスライド移動させて前記容積比率を変化させることを特徴とする。
【００１７】
この発明に係るスピーカー機構においては、一対のカップ状部材と筒状部材とで収納体が構成されており、一対のカップ状部材及び筒状部材の内部空間が前気室及び後気室として利用される。そして、可変手段により筒状部材を一対のカップ状部材間でスライド移動させることでスピーカー本体の位置を可変できるので、前気室と後気室との容積比率を変化させることができる。特に、筒状部材をスライド移動させるだけの簡単な構成で容積比率を明確に変化させることができるので、構成の簡略化を図ることができる。
【００１８】
また、本発明に係るスピーカー機構は、上記本発明のスピーカー機構において、前記収納体が、互いに開口を対向させた状態で配置され、互いに接近離間する方向にそれぞれスライド移動可能とされた一対のカップ状部材と、該一対のカップ状部材の開口側から両端が挿入された状態で組み合わされ、内周面に前記スピーカー本体が固定された筒状部材と、を備え、前記可変手段が、前記一対のカップ状部材をそれぞれスライド移動させて前記容積比率を変化させることを特徴とする。
【００１９】
この発明に係るスピーカー機構においては、一対のカップ状部材と筒状部材とで収納体が構成されており、一対のカップ状部材及び筒状部材の内部空間が前気室及び後気室として利用される。そして、可変手段により一対のカップ状部材を筒状部材に沿ってそれぞれスライド移動させることで、スピーカー本体に対して一対のカップ状部材の位置を可変できるので、前気室と後気室との容積比率を変化させることができる。特に、一対のカップ状部材をスライド移動させるだけの簡単な構成で容積比率を明確に変化させることができるので、構成の簡略化を図ることができる。
【００２０】
また、本発明に係るスピーカー機構は、上記本発明のスピーカー機構において、前記可変手段が、前記スピーカー本体に固定されたプレートと、該プレートを前記収納体に回動自在に固定するヒンジ部と、該ヒンジ部を中心としてプレートを回動させて、前記容積比率を変化させる回動機構と、を備えていることを特徴とする。
【００２１】
この発明に係るスピーカー機構においては、回動機構によりヒンジ部を中心としてプレートを回動させることでスピーカー本体の位置を可変できるので、前気室と後気室との容積比率を変化させることができる。特に、スピーカー本体を回動させるだけの簡単な構成で容積比率を明確に変化させることができるので、構成の簡略化を図ることができる。
【００２２】
また、本発明に係る電子機器は、上記本発明のスピーカー機構と、前記収納体が内蔵されると共に前記放音孔に連通するスピーカー孔が形成された筐体と、該筐体に設けられた入力部と、前記筐体内に内蔵され、前記入力部で入力された入力信号に基づいて前記スピーカー本体を作動させる制御部と、を備えていることを特徴とする。
【００２３】
この発明に係る電子機器においては、制御部が入力部から送られてきた入力信号に基づいて、スピーカー本体を作動させて音声を発生させる。するとこの音声は、前気室及び後気室で反響しながら混じり合った後に、放音孔からスピーカー孔に流れ、該スピーカー孔から筐体の外部に出力される。これにより使用者は、電子機器の使用中に音声を聴くことができる。特に、可変手段により状況に応じて音声出力バランスを効率よく変化させて出力調整を行えるので、音楽を聴く場合や録音情報を聴く場合等、各状況に応じた最適な音声出力バランスで音声を聴くことができる。従って、電子機器の高性能化を図ることができる共に、使い易さを向上することができる。
【００２４】
また、本発明に係る電子機器は、上記本発明の電子機器において、前記制御部が、前記入力信号に基づいて前記可変手段に作動信号を出力する作動信号制御部を有し、前記可変手段が、前記作動信号が送られてきたときに前記容積比率を変化させることを特徴とする。
【００２５】
この発明に係る電子機器においては、入力部から入力信号が送られてくると、作動信号制御部が可変手段に作動信号を出力する。すると可変手段は、この作動信号を受けて容積比率を自動的に変化させ、音声出力バランスを効率良く変化させる。つまり、入力部で入力操作を行うだけで、スピーカー本体の作動と音声出力バランスの変化による出力調整とを自動的に行うことができる。従って、使い易さをより向上することができる。
【００２６】
また、本発明に係る電子機器は、上記本発明の電子機器において、前記入力部が、異なるアプリケーションを作動させる複数の機能スイッチを有し、前記作動信号制御部が、選択された前記機能スイッチに対応した前記アプリケーションに最適な前記容積比率を算出すると共に、算出した容積比率となるように前記可変手段に制御信号を出力し、前記可変手段が、前記制御信号に基づいて前記容積比率を変化させることを特徴とする。
【００２７】
この発明に係る電子機器においては、使用者が機能スイッチを押して複数あるアプリケーションの中から１つのアプリケーションを作動させると、作動信号制御部は選択されたアプリケーションに最適な容積比率を算出する。そして、算出した容積比率となるように可変手段に制御信号を出力する。すると可変手段は、この制御信号に基づいて前気室の容積と後気室の容積との容積比率を変化させ、算出された最適な容積比率に一致させる。従って、選択したアプリケーションを常に最適な音声出力バランスで聴くことができる。よって、使い易さをさらに向上することができる。
【発明の効果】
【００２８】
本発明に係るスピーカー機構によれば、限られたスペース内であっても、音声出力バランスを効率良く変化させることができ、多種多様な音声情報に対応した出力調整を行うことができる。
また、本発明に係る電子機器によれば、上記スピーカー機構を備えているので、音楽を聴く場合や語学、録音情報を聴く場合等、各状況に応じた最適な音声出力バランスで音声を聴くことができ、高性能化及び使い易さの向上化を図ることができる。
【発明を実施するための最良の形態】
【００２９】
（第１実施形態）
以下、本発明に係る電子機器の第１実施形態を、図１から図８を参照して説明する。なお、本実施形態では、電子機器の一例として、電子辞書を例に挙げて説明する。
【００３０】
本実施形態の電子辞書１は、図１に示すように、折り畳み式の携帯用電子機器であって、ヒンジ部２を介して開閉可能に連結されたボトムケース３とトップケース４とから構成されるケーシング（筐体）５を備えている。これにより、不使用時にはトップケース４を閉じて折り畳むことができ、薄型でコンパクトなサイズにして、例えばバック等に容易に収納して携帯することができるようになっている。また、使用時には、ボトムケース３に対してトップケース４を回転させることで、使用者の目線に合うようにトップケース４の角度を調整でき、使い易い設計となっている。
【００３１】
これらボトムケース３及びトップケース４は、プラスチックや、アルミ、ステンレス等の金属材料を適宜使用して、全体的に薄型の箱状に形成されている。このうち、ボトムケース３は、ボトムキャビネット３ａとトップキャビネット３ｂとが重なった２段構造となっている。そして、このボトムケース３内には、後述するスピーカー機構２０が左右にそれぞれ組み込まれている。つまり、本実施形態の電子辞書１は、左右から音声を出力することができるステレオタイプとされている。
【００３２】
ここで、スピーカー機構２０について説明する。なお、左右のスピーカー機構２０は、共に同一の構成であるため、一方のスピーカー機構２０のみを詳細に説明する。
スピーカー機構２０は、図２から図４に示すように、スピーカー本体２１と、該スピーカー本体２１を閉塞した内部空間に収納する収納体２２と、スピーカー本体２１から発せられた音声を外部に出力する放音孔２３と、収納体２２とスピーカー本体２１との位置関係を相対的に可変させる可変手段２４と、を備えている。
【００３３】
収納体２２は、互いに開口を対向させた状態で配置された一対のカップ状部材２７と、これら一対のカップ状部材２７の開口側から両端が挿入された状態でスライド可能に組み合わされた筒状部材２８とで、主に構成されており、ボトムケース３を構成するトップキャビネット３ｂ内に内蔵されている。
【００３４】
一対のカップ状部材２７は、外周面の一部が平らな平坦面２７ａとなるようにそれぞれ形成されている。これら一対のカップ状部材２７には、それぞれねじ孔２９ａが形成されたフランジ板２９が取り付けられている。一方、トップキャビネット３ｂの天板には、内周面にねじ溝が形成されたねじ止め部材３０が設けられている。
そして、一対のカップ状部材２７は、トップキャビネット３ｂの側面の内側で、且つ、側面に沿って横幅方向（図１から図３に示す矢印Ａ方向）に直線的に並ぶように一定の間隔を空けて配置されており、ねじ３１を利用してトップキャビネット３ｂの天板に固定されている。具体的には、フランジ板２９をねじ止め部材３０に当接させた状態で、ねじ孔２９ａを挿通させたねじ３０をねじ溝に螺合することで、カップ状部材２７を固定している。この際、一対のカップ状部材２７は、平坦面２７ａがトップキャビネット３ｂの天板に当接した状態で固定されている。
【００３５】
筒状部材２８は、円筒状に形成され、一方向に延びた長尺な部材であり、両端が開口を介して一対のカップ状部材２７の内部に挿入されている。つまり筒状部材２８は、一対のカップ状部材２７によって両端が支持されている。しかも、筒状部材２８は、トップキャビネット３ｂの横幅方向（矢印Ａ方向）にスライド移動できるようになっている。
このように組み合わされた一対のカップ状部材２７及び筒状部材２８の内部空間は、閉塞した空間であり、後述する前気室Ｒ１及び後気室Ｒ２として利用されるようになっている。
【００３６】
筒状部材２８の略中央部分の内部には、スピーカー本体２１が固定されている。この際スピーカー本体２１は、一方のカップ状部材２７に前面が向き、他方のカップ状部材２７に後面が向くように配置された状態で、筒状部材２８の内周面に接触するように固定されている。これにより、一対のカップ状部材２７及び筒状部材２８の内部空間は、スピーカー本体２１を境にして２つの空間に仕切られた状態となっている。このうち、スピーカー本体２１の前面側の空間、即ち一方のカップ状部材２７で主に構成される内部空間が前気室Ｒ１として機能し、スピーカー本体２１の後面側の空間、即ち他方のカップ状部材２７で主に構成される内部空間が、後気室Ｒ２として機能するようになっている。
【００３７】
また、一方のカップ状部材２７の平坦面２７ａには、前気室Ｒ１と外部とを連通する放音孔２３が形成されている。これにより、スピーカー本体２１から発生された音声は、前気室Ｒ１及び後気室Ｒ２で反響した後、放音孔２３から外部に出力されるようになっている。なお、スピーカー本体２１は、後述する制御部１５に電気的に接続されており、作動が制御されている。
【００３８】
ところで、筒状部材２８の略中央部分の外周面には、先端に挿入孔３１ａが形成されたスライド軸３１が筒状部材２８の長手方向に略直交するように形成されている。一方、トップキャビネット３ｂの側面には、スライド軸３１に対向するようにスライド孔３２が形成されている。このスライド孔３２は、横幅方向（矢印Ａ方向）に長く形成された長穴であり、後述するスライドスイッチ３４の挿入部３４ａを横幅方向にスライド移動させるガイド孔として機能する。
また、トップキャビネット３ｂの側面には、スライド孔３２の周囲を囲むようにスライド溝３３が形成されており、該スライド溝３３に挿入部３４ａが形成されたスライドスイッチ３４がスライド可能に嵌っている。このスライドスイッチ３４は、トップキャビネット３ｂの外側からスライド操作可能とされ、先端がスライド軸３１の挿入孔３１ａに挿入されて嵌合されている。
【００３９】
よって、スライドスイッチ３４をスライド操作することで、スライド軸３１を介して筒状部材２８を横幅方向、即ち、一対のカップ状部材２７間でスライド移動させることができるようになっている。つまり、収納体２２に対してスピーカー本体２１の位置を可変することができるようになっている。これにより、前気室Ｒ１と後気室Ｒ２との容積比率を適宜変化させることが可能とされている。つまり、筒状部材２８を一方のカップ状部材２７側にスライド移動させることで、前気室Ｒ１の容積を減らすと共に後気室Ｒ２の容積を増加させ、他方のカップ状部材２７側にスライド移動させることで、前気室Ｒ１の容積を増加させると共に後気室Ｒ２の容積を減らすことができるようになっている。
【００４０】
つまり、スライドスイッチ３４及びスライド軸３１は、筒状部材２８をスライド移動させることで収納体２２とスピーカー本体２１との位置関係を相対的に可変させて、前気室Ｒ１と後気室Ｒ２との容積比率を変化させる可変手段２４として機能する。
なお、本実施形態では、筒状部材２８を一方のカップ状部材２７側にスライド移動させたときに、筒状部材２８が放音孔２３を塞がないように設計されている。また、スライドスイッチ３４の表面は、山と谷とが繰り返された凹凸面３４ｂとなっており、スライド操作に指先が滑らないように工夫されている。
但し、この場合に限られず他の方法で滑り止めをしても構わない。例えば、スライドスイッチ３４の表面をラバーで覆ったり、微小な凸部を複数形成したりする等して摩擦抵抗を上げ、滑り止め効果を発揮させても構わない。
【００４１】
トップキャビネット３ｂの天板には、放音孔２３に連通するスピーカー孔３５が形成されている。そして、このスピーカー孔３５には、複数の音孔３６ａが形成された多孔質のスピーカーカバー３６が嵌め込まれており、水分や塵埃等の浸入を防いでいる。これにより、スピーカー本体２１から発せられた音声は、放音孔２３からスピーカー孔３５に流れ、該スピーカー孔３５から外部に出力される。
【００４２】
上述したように２つのスピーカー孔３５が形成されたボトムケース３には、図１に示すように、指先で押下可能な複数のキーが所定の鍵盤配列（キーボード配列）で整列されたキーパッド１０と、やはり指先で押下可能な複数の機能スイッチ１１と、からなる入力部１２が設けられている。
一方、トップケース４には、上記入力部１２で入力された各種の情報を表示する表示パネル１３が略全面に亘って設けられており、透明な保護カバー（例えば、プラスチック等の樹脂性のカバー）１４を通じて視認できるようになっている。なお、この表示パネル１３は、例えば５インチ程度のカラー或いはモノクロの液晶パネルである。また、保護カバー１４は、必須なものではない。
【００４３】
また、ボトムケース３内には、図５に示すように制御部１５、メモリ１６、充電池１７や図示しない各種の電子部品が実装された回路基板１８が内蔵されている。制御部１５は、ＣＰＵ等の演算処理部、電子辞書１としての各種のプログラム等が記憶されているＲＯＭ、一時記憶媒体であるＲＡＭ、表示パネル１３の制御を行う表示制御部等を有している。そして制御部１５は、キーパッド１０の複数のキーや機能スイッチ１１が押下されたときに回路基板１８を介して送られてくる入力信号に基づいて、各構成品を総合的に制御して電子辞書１として各種機能を作動させるようになっている。
【００４４】
特に制御部１５は、入力信号に基づいてスピーカー本体２１を作動させるようになっている。しかも制御部１５は、メモリ１６に記憶されている音声情報をスピーカー本体２１から音声出力させる機能を有している。これにより、検索した外国語を正しい音声（ネイティブ音声）で聴いて学習することが可能とされている。この際、制御部１５は、音声出力の情報を表示パネル１３にも表示している。そのため、使用者は、目と耳とで検索内容を確認することができるようになっている。
【００４５】
特に本実施形態のＲＯＭには、ネイティブ音声を聴いて学習を行う際に、各国の音声情報（例えば、英語用音声、イタリア語用音声や日本語音声等）を聴いて学習を行うことができるアプリケーションがプログラミングされている。加えて、性別毎の音声（男性用の音声、女性用の音声）を聴いて学習を行うことができるアプリケーションがプログラミングされている。そして、これら異なる複数のアプリケーションは、異なる機能スイッチ１１を押下することで作動させることができるようになっている。
なお、制御部１５は、音声出力の情報だけなく、指先で押下したキーを表示パネル１３に表示したり、その他各種情報（例えば、辞書の内容、単語の検索内容、充電池１７の残量、時刻や日付等）を表示パネル１３に表示したりすることが可能とされている。
【００４６】
次に、このように構成された電子辞書１を使用する場合について、以下に説明する。
まず、ボトムケース３を机上等の平面上に載置した後、図１に示すように、ヒンジ部２を介してトップケース４を所定の角度まで開かせる。そして、キーパッド１０の複数のキーや機能スイッチ１１を適宜押下することで、電子辞書１としての各種機能を作動させることができる。
特に、ネイティブ音声で学習するために機能スイッチ１１の１つを押下すると、制御部１５はこの機能スイッチ１１から送られてきた入力信号から、ネイティブ音声の学習機能が選択されたことを認識し、スピーカー本体２１を作動させる。
【００４７】
するとスピーカー本体２１は、図示しない振動板が振動して音声を発生させる。この音声は、スピーカー本体２１の前面側及び後面側に発せられ、一方のカップ状部材２７の内部空間で主に構成される前気室Ｒ１と、他方のカップ状部材２７の内部空間で主に構成される後気室Ｒ２内と、でそれぞれ反響する。そして、反響しながら混じり合った後に、音声は放音孔２３から収納体２２の外部に出力される。そして、この音声は、放音孔２３からスピーカー孔３５に流れた後、スピーカーカバー３６を通じて外部に出力される。これにより使用者は、ネイティブ音声を聴きながら学習をすることができる。
【００４８】
しかも使用者は、この学習を行っている際に、音声出力バランスを適宜変化させて最適な音声出力状態に調整することができる。
具体的には、ボトムケース３を構成するトップキャビネット３ｂの側面に設けられたスライドスイッチ３４をスライド操作する。これにより、スライド軸３１を介して筒状部材２８をスライド移動させることができ、前気室Ｒ１と後気室Ｒ２との容積比率を変化させることができる。この際、図６に示すように、筒状部材２８を一方のカップ状部材２７側にスライド移動させると、前気室Ｒ１の容積を減らし、後気室Ｒ２の容積を増加させることができる。一方、図７に示すように、筒状部材２８を他方のカップ状部材２７側にスライド移動させると、前気室Ｒ１の容積を増加させ、後気室Ｒ２の容積を減らすことができる。このように、スライドスイッチ３４をスライド操作するだけで、前気室Ｒ１と後気室Ｒ２との容積比率を容易に変化させることができる。
【００４９】
これにより、前気室Ｒ１及び後気室Ｒ２内でそれぞれ反響する音声の反響具合を調整することができ、放音孔２３を介してスピーカー孔３５から出力される音声の音質、音域や音圧等を変化させて、音声出力バランスを適宜変化させることができる。従って、ネイティブ音声を明瞭に聴きながら、学習を行うことができる。
【００５０】
特に、後気室の容積しか変化させることができなかった従来のものとは異なり、本実施形態の電子辞書１では前気室Ｒ１及び後気室Ｒ２の容積比率を変化させることができる。従って、音声出力バランスを従来よりも効率良く変化させることができ、多種多様な音声情報に対応した出力調整を行うことができる。従って、ネイティブ音声を聴く際に、各国の音声情報を聴いたり、性別毎の音声情報を聴いたりする際に、状況に応じた最適な音声出力バランスで聴くことができる。よって、非常に使い易く、高性能化された電子辞書１となる。
【００５１】
また、スピーカー機構２０は、前気室Ｒ１及び後気室Ｒ２の両方を使用するので、ボトムケース３内の限られたスペース内であっても、音声出力バランスを効率良く変化させることができる。しかも、収納体２２自体の大きさが変化しないので、ボトムケース３内の限られたスペース内であっても、スピーカー機構２０を組み込み易く設計の容易化を図ることができる。加えて、本実施形態では、筒状部材２８をスライドスイッチ３４でスライド移動させるだけの簡単な構成で、前気室Ｒ１と後気室Ｒ２との容積比率を明確に変化させることができるので、構成の簡略化を図ることができ、低コスト化に繋げることができる。
【００５２】
なお、上記第１実施形態では、スライド軸３１の先端に形成された挿入孔３１ａに挿入部３４ａの先端を嵌め込むことで、スライド軸３１とスライドスイッチ３４とを固定したが、このような嵌合に限定されるものではない。例えば、接着剤を利用してスライド軸３１とスライドスイッチ３４の挿入部３４ａとを固定しても構わない。或いは、図８に示すように、スライド軸３１の先端にねじ溝３１ｂを形成すると共にスライドスイッチ３４にねじ孔３４ｃを形成して、ねじ３７を利用して両者を固定しても構わない。
【００５３】
（第２実施形態）
次に、本発明に係る第２実施形態を、図９から図１２を参照して説明する。なお、この第２実施形態においては、第１実施形態における構成要素と同一の部分については、同一の符号を付しその説明を省略する。
第２実施形態と第１実施形態との異なる点は、第１実施形態では前気室Ｒ１側から音声を出力したが、第２実施形態では後気室Ｒ２側からも音声を出力することができるように構成されている点である。
【００５４】
即ち、本実施形態の電子辞書４０は、図９に示すように、他方のカップ状部材２７にバス用放音孔４２が形成されたスピーカー機構４１を備えている。このバス用放音孔４２は、後気室Ｒ２と外部とを連通するように他方のカップ状部材２７の平坦面２７ａに形成されており、スピーカー本体２１から発せられた音声を外部に出力するようになっている。
また、本実施形態のボトムケース３を構成するトップキャビネット３ｂの天板には、バス用放音孔４２に対向する位置に該放音孔４２に連通するバス用スピーカー孔（スピーカー孔）４３が形成されており、バス用放音孔４２から出力された音声をボトムケース３の外部に出力している。
【００５５】
このように構成された電子辞書４０によれば、図１０に示すようにスピーカー本体２１から音声を出力すると、前気室Ｒ１及び後気室Ｒ２で反響させた後、前気室Ｒ１側の放音孔２３と、後気室Ｒ２側のバス用放音孔４２とから音声を出力することができる。特に、スピーカー本体２１の後面側に発せられ、後気室Ｒ２内で反響する音声は、前面側に発せられる音声よりも音域が低い。つまり、低音域の音声が主となる。そのため、この低音域の音声をバス用放音孔４２から外部に出力することができる。従って、前気室Ｒ１側に形成された放音孔２３から出力される音声に加え、低音域の音声を、積極的にバス用放音孔４２を介してバス用スピーカー孔４３からボトムケース３の上方に向けて出力することができる。これにより、より効率良く音声出力バランスを変化させることができ、音声の出力調整を行うことができる。
【００５６】
なお、上記第２実施形態において、後気室Ｒ２の容積が前気室Ｒ１の容積より小さく、且つ、両気室の容積差が予め決められた一定値以上開いたとき、例えば（後気室Ｒ２の容積：前気室Ｒ１の容積）が、（３：７）、（２：８）、（１：９）等となったときにバス用放音孔４２が遮断されるように構成すると良い。
例えば、図１１に示すように、筒状部材２８を他方のカップ状部材２７側にスライド移動させたときに、筒状部材２８によってバス用放音孔４２を遮断できるように構成すれば良い。特に、後気室Ｒ２の容積が前気室Ｒ１の容積よりも十分に小さくなってしまった場合には、低音域の音声を後気室Ｒ２内で十分に反響させることができず、低音域の音声出力をそれほど期待することができない。そのため、バス用放音孔４２を物理的に遮断することで、無駄にバス用放音孔４２から音声を出力してしまうといったことを防止することができる。
【００５７】
また、上記第２実施形態において、バス用放音孔４２を他方のカップ状部材２７の平坦面２７ａに形成したが、図１２に示すように、トップキャビネット３ｂの側面にバス用スピーカー孔４３を形成し、該スピーカー孔４３に連通するように他方のカップ状部材２７の平坦面２７ａ以外の外周面にバス用放音孔４２を形成しても構わない。
このようにすることで、前気室Ｒ１側の放音孔２３から出力される音声をボトムケース３の上方に向けて出すことができると共に、後気室Ｒ２側のバス用放音孔４２から出力される低音域の音声をボトムケース３の側方に向けて出すことができる。つまり、音声の出力方向を変えることができるので、違った感覚で音声を聴くことができる。
【００５８】
（第３実施形態）
次に、本発明に係る第３実施形態を、図１３及び図１４を参照して説明する。なお、この第３実施形態においては、第１実施形態における構成要素と同一の部分については、同一の符号を付しその説明を省略する。
第３実施形態と第１実施形態との異なる点は、第１実施形態ではボトムケース３の上方に向けて音声を出力したが、第３実施形態ではボトムケース３の側方に向けて音声を出力することができるように構成されている点である。
【００５９】
即ち、本実施形態の電子辞書５０は、図１３及び図１４に示すように、一方のカップ状部材２７の端面に放音孔５２が形成されたスピーカー機構５１を備えている。本実施形態の一対のカップ状部材２７は、平坦面２７ａがボトムケース３の下方を向くように配置された状態で、トップキャビネット３ｂに固定されている。そして、上述したように、一方のカップ状部材２７の端面には、放音孔５２が形成されている。一方、トップキャビネット３ｂの側面には、放音孔５２に対向する位置に該放音孔５２に連通するスピーカー孔５３が形成されている。
【００６０】
このように構成された電子辞書５０によれば、スライドスイッチ３４のスライド操作により前気室Ｒ１と後気室Ｒ２との容積比率を変化させ、この変化によって音声出力バランスを調整した音声をボトムケース３の側方に向けて出力させることができる。このように、本実施形態の電子辞書５０によれば、音声の出力方向が異なるだけで、その他の作用効果は第１実施形態と同様である。
【００６１】
（第４実施形態）
次に、本発明に係る第４実施形態を、図１５及び図１６を参照して説明する。なお、この第４実施形態においては、第２実施形態における構成要素と同一の部分については、同一の符号を付しその説明を省略する。
第４実施形態と第２実施形態との異なる点は、第２実施形態ではボトムケース３の上方に向けて音声を出力したが、第４実施形態ではボトムケース３の上方に加え、側方からも音声を出力することができるように構成されている点である。
【００６２】
即ち、本実施形態の電子辞書６０は、図１５及び図１６に示すように、一方のカップ状部材２７の端面にさらに放音孔６２が形成されたスピーカー機構６１を備えている。一方、トップキャビネット３ｂの側面には、放音孔６２に対向する位置に該放音孔６２に連通するスピーカー孔６３がさらに形成されている。
このように構成された電子辞書６０によれば、前気室Ｒ１側の放音孔２３、６２から出力される音声を、スピーカー孔３５、６２を介してボトムケース３の上方及び側方に向けて出すことができる。つまり、音声の出力方向を２方向に増やすことができるので、違った感覚で音声を聴くことができる。
【００６３】
（第５実施形態）
次に、本発明に係る第５実施形態を、図１７から図１９を参照して説明する。なお、この第５実施形態においては、第１実施形態における構成要素と同一の部分については、同一の符号を付しその説明を省略する。
第５実施形態と第１実施形態との異なる点は、第１実施形態では筒状部材２８をスライド移動させることで前気室Ｒ１と後気室Ｒ２との容積比率を変化させたが、第５実施形態では、一対のカップ状部材２７をそれぞれスライド移動させることで前気室Ｒ１と後気室Ｒ２との容積比率を変化させる点である。
【００６４】
即ち、本実施形態の電子辞書７０は、図１７から図１９に示すように、スライド移動可能な一対のカップ状部材２７と、これらカップ状部材２７に組み合わされた筒状部材２８とで構成される収納体７２を有するスピーカー機構７１を備えている。
本実施形態の一対のカップ状部材２７は、平坦面２７ａに鍔部７３が形成されており、トップキャビネット３ｂの天板に形成されたスライド溝７４に鍔部７３が嵌った状態で固定されている。これにより、一対のカップ状部材２７は、互いに開口を対向させた状態で、互いに接近離間する方向（ボトムケース３の横幅方向（矢印Ａ方向））にそれぞれスライド移動可能とされている。
【００６５】
また、一対のカップ状部材２７の外周面には、トップキャビネット３ｂの側面に向けてスライド軸３１がそれぞれ形成されている。このスライド軸３１の先端には、挿入孔３１ａが形成されている。一方、本実施形態のトップキャビネット３ｂの側面には、スライド孔３２及びスライド溝３３が間隔を空けて２つ形成されている。そして、スライド孔３２に挿入部３４ａが挿通された状態で、スライドスイッチ３４がスライド溝３３に嵌っている。この際、スライドスイッチ３４の挿入部３４ａは、スライド軸３１の挿入孔３１ａに挿入されて勘合している。これにより、スライドスイッチ３４と一対のカップ状部材２７とは、それぞれ連結されている。
【００６６】
このように構成されているので、スライドスイッチ３４をスライド溝３３に沿ってスライド操作することで、一対のカップ状部材２７をボトムケース３の横幅方向（矢印Ａ方向）にそれぞれスライド移動させることができるようになっている。なお、トップキャビネット３ｂの天板に形成されたスピーカー孔３５は、横幅方向（矢印Ａ方向）に長く形成されており、一方のカップ状部材２７をスライド移動させたとしても、放音孔２３に常に連通するように設計されている。
【００６７】
また、筒状部材２８は、一対のカップ状部材２７の開口側から両端が挿入された状態でカップ状部材２７に対して組み合わされており、図示しない支持部材によってトップキャビネット３ｂに固定されている。よって、スライドスイッチ３４をスライド操作することで、一対のカップ状部材２７をそれぞれスライド移動させることができ、スピーカー本体２１に対して収納体７２の位置を可変できるようになっている。
つまり、収納体７２とスピーカー本体２１との位置を、相対的に可変させることができるようになっている。これにより、前気室Ｒ１と後気室Ｒ２との容積比率を適宜変化させることが可能とされている。そのため、スライドスイッチ３４及びスライド軸３１は、一対のカップ状部材２７をスライド移動させることで収納体７２とスピーカー本体２１との位置関係を相対的に可変させて、前気室Ｒ１と後気室Ｒ２との容積比率を変化させる可変手段７５として機能する。
【００６８】
このように構成された電子辞書７０により音声出力バランスを変化させる場合には、ボトムケース３を構成するトップキャビネット３ｂの側面に設けられた２つのスライドスイッチ３４を適宜スライド操作する。これにより、スライド軸３１を介して一対のカップ状部材２７をスライド移動させることができ、前気室Ｒ１と後気室Ｒ２との容積比率を変化させることができる。これにより、前気室Ｒ１及び後気室Ｒ２内でそれぞれ反響する音声の反響具合を調整することができ、第１実施形態と同様に、スピーカー孔３５から出力される音声の音質、音域や音圧等を変化させて、音声出力バランスを適宜変化させることができる。
【００６９】
このように、本実施形態では筒状部材２８ではなく、一対のカップ状部材２７をスライド移動させる点が第１実施形態と異なるだけで、それ以外の作用効果は第１実施形態と同様である。また、本実施形態では一対のカップ状部材２７をスライドスイッチ３４でスライド移動させるだけの簡単な構成で容積比率を明確に変化させることができるので、構成の簡略化を図ることができ、低コスト化に繋げることができる。
【００７０】
（第６実施形態）
次に、本発明に係る第６実施形態を、図２０及び図２１を参照して説明する。なお、この第６実施形態においては、第１実施形態における構成要素と同一の部分については、同一の符号を付しその説明を省略する。
第６実施形態と第１実施形態との異なる点は、第１実施形態ではスライドスイッチ３４をスライド操作することで前気室Ｒ１と後気室Ｒ２との容積比率を変化させたが、第６実施形態では、ジョグダイヤル８４を回転させることで前気室Ｒ１と後気室Ｒ２との容積比率を変化させる点である。
【００７１】
即ち、本実施形態の電子辞書８０は、図２０及び図２１に示すように、カップ状部材８３と、ジョグダイヤル８４で一端側が閉塞された筒状部材８５と、で収納体８２が構成されたスピーカー機構８１を備えている。
筒状部材８５は、円筒状に形成されており、一端側に円板状のジョグダイヤル８４が一体的に固定されている。よって、ジョグダイヤル８４を回転させることで、筒状部材８５を軸線Ｌ回りに回転させることが可能とされている。なお、筒状部材８５は、ボトムケース３を構成するボトムキャビネット３ａに回転自在に固定されている。また、ジョグダイヤル８４は、一部がボトムケース３の外側に露出しており、外側から手動で回転操作が可能とされている。また、筒状部材８５の外周面には、雄ねじ８５ａが形成されている。
【００７２】
カップ状部材８３は、開口側の内周面に雌ねじ８３ａが形成された円筒状の部材であり、上記雄ねじ８５ａに螺合した状態で筒状部材８５に組み合わされている。よって、カップ状部材８３とジョグダイヤル８４が固定された筒状部材８５とで囲まれた空間は、スピーカー本体２１を収納する閉塞した内部空間となっている。なおカップ状部材８３は、図示しない回転規制部材によってボトムキャビネット３ａに回転が規制された状態で支持されている。よって、ジョグダイヤル８４の回転操作によって筒状部材８５が回転すると、カップ状部材８３は軸線Ｌ方向にスライド移動するようになっている。
【００７３】
カップ状部材８３内には、リング状の支持部材８６に固定されたスピーカー本体２１が収納されている。この際、支持部材８６は、カップ状部材８３の内周面に摺動可能に当接されている。また、スピーカー本体２１は、前面側がジョグダイヤル８４に向くように支持部材８６に固定されている。よって、カップ状部材８３の底面側の空間が、スピーカー本体２１の後面側の空間となって後気室Ｒ２として機能し、筒状部材８５で囲まれる空間が、スピーカー本体２１の前面側の空間となって前気室Ｒ１として機能する。
また、支持部材８６とカップ状部材８３の底面との間、支持部材８６と筒状部材８５の端面との間には、コイルバネ８７がそれぞれ介在されている。つまり、支持部材８６は、２つのコイルバネ８７に両側から挟まれた状態でカップ状部材８３に収納されている。
【００７４】
このように構成されているので、ジョグダイヤル８４を回転操作してカップ状部材８３を軸線Ｌ方向にスライド移動させると、２つのコイルバネ８７の圧縮量が適宜変化する。そのため、２つのコイルバネ８７によって挟まれている支持部材８６が、圧縮量の変化によってスライド移動する。よって、スピーカー本体２１の位置を収納体８２に対して可変させることができ、前気室Ｒ１と後気室Ｒ２との容積比率を変化させることができる。
つまり、ジョグダイヤル８４、２つのコイルバネ８７及び支持部材８６は、収納体８２とスピーカー本体２１との位置関係を相対的に可変させて、前気室Ｒ１と後気室Ｒ２との容積比率を変化させる可変手段８８として機能する。
【００７５】
また、ジョグダイヤル８４の略中心には、前気室Ｒ１と外部とを連通する放音孔８９が形成されており、スピーカー本体２１から発せられた音声を外部に出力している。そして、ボトムキャビネット３ａには、放音孔８９とスピーカー孔３５とを連通する音声用通路９０が形成されており、放音孔８９から出力された音声をスピーカー孔３５に導いている。これにより、スピーカー孔３５を通して音声をボトムケース３の上方に向けて出力することが可能とされている。
【００７６】
このように構成された電子辞書８０により音声出力バランスを調整する場合には、ボトムケース３の側面に設けられたジョグダイヤル８４を回転操作する。すると、筒状部材８５が回転し、これに連られてカップ状部材８３が回転しようとする。しかしながらカップ状部材８３は、回転規制部材によって回転が規制されているので、軸線Ｌ方向に沿ってスライド移動する。カップ状部材８３がスライド移動すると、２つのコイルバネ８７の圧縮量が適宜変化するので、圧縮バランスの変化により両コイルバネ８７に挟まれている支持部材８６がスライド移動する。これにより、スピーカー本体２１の位置を変えることができ、前気室Ｒ１と後気室Ｒ２との容積比率を容易に変化させることができる。
【００７７】
これにより、前気室Ｒ１及び後気室Ｒ２内でそれぞれ反響する音声の反響具合を調整することができ、放音孔８９を介してスピーカー孔３５から出力される音声の音質、音域や音圧等を変化させて、音声出力バランスを適宜変化させることができる。従って、本実施形態の場合であっても、第１実施形態と同様の作用効果を奏することができる。
【００７８】
なお、本実施形態において、スピーカー孔３５をボトムケース３の側面に形成し、該スピーカー孔３５と放音孔８９とを音声用通路９０で連通しても構わない。この場合には、音声をボトムケース３の側方側から出力することができる。また、スピーカー孔３５をボトムケース３の上面と側面とにそれぞれ形成し、両スピーカー孔３５にそれぞれ連通するように音声用通路９０を途中で２つに分岐させても構わない。この場合には、音声をボトムケース３の上方側及び側方側からそれぞれ出力させることができる。
【００７９】
（第７実施形態）
次に、本発明に係る第７実施形態を、図２２から図２５を参照して説明する。なお、この第７実施形態においては、第１実施形態における構成要素と同一の部分については、同一の符号を付しその説明を省略する。
第７実施形態と第１実施形態との異なる点は、第１実施形態ではスライドスイッチ３４の操作によりスピーカー本体２１をスライド移動させることで前気室Ｒ１と後気室Ｒ２との容積比率を変化させたが、第７実施形態では、スピーカー本体２１を回動させることで前気室Ｒ１と後気室Ｒ２との容積比率を変化させる点である。
【００８０】
即ち、本実施形態の電子辞書９０は、図２２から図２５に示すように、スピーカー本体２１が回動自在に設けられたスピーカー機構９１を備えている。
本実施形態のスピーカー本体２１は、ボトムケース３を構成するトップキャビネット３ｂ及びボトムキャビネット３ａ内に納まる箱型の収納体９２の内部に収納されている。収納体９２の内部には、音声を通過させる貫通孔９３ａが形成されたプレート９３が収納されており、該プレート９３にスピーカー本体２１が固定されている。この際、スピーカー本体２１は、ボトムケース３の上方或いは側方に前面側が向くように固定されている。
プレート９３の一端側は、収納体９２の天板に形成された２つのヒンジ部９４に回動自在に固定されている。また、プレート９３の他端側は、収納体９２の内面に摺動自在に当接するように折曲されている。これにより、収納体９２の閉塞した内部空間は、プレート９３によって２つに仕切られ、前気室Ｒ１及び後気室Ｒ２として機能するようになっている。
【００８１】
また、プレート９３は、ボトムケース３の外側から手動で操作することができる回動機構９５に機械的に連結されており、ヒンジ部９４を中心として回動させられるようになっている。これにより、収納体９２に対してスピーカー本体２１の位置を可変させることができ、前気室Ｒ１と後気室Ｒ２との容積比率を変化させることが可能とされている。
つまり、プレート９３、ヒンジ部９４及び回動機構９５は、収納体９２とスピーカー本体２１との位置関係を相対的に可変させて、前気室Ｒ１と後気室Ｒ２との容積比率を変化させる可変手段９６として機能する。
【００８２】
また、収納体９２の天板には、前気室Ｒ１に連通する放音孔９７が形成されている。そして、ボトムケース３のトップキャビネット３ｂの天板には、放音孔９７に連通するスピーカー孔３５が形成されており、出力された音声をボトムケース３の上方に出力するようになっている。  
【００８３】
このように構成された電子辞書９０により音声出力バランスを調整する場合には、回動機構９５を操作して、ヒンジ部９４を中心としてプレート９３を回動させる。すると、スピーカー本体２１が回動するので、収納体９２に対してスピーカー本体２１の位置を変えることができ、前気室Ｒ１と後気室Ｒ２との容積比率を容易に変化させることができる。これにより、前気室Ｒ１及び後気室Ｒ２内でそれぞれ反響する音声の反響具合を調整することができ、放音孔９７を介してスピーカー孔３５から出力される音声の音質、音域や音圧等を変化させて、音声出力バランスを適宜変化させることができる。従って、本実施形態の場合であっても、第１実施形態と同様の作用効果を奏することができる。
【００８４】
なお、本発明の技術範囲は上記実施の形態に限定されるものではなく、本発明の趣旨を逸脱しない範囲において種々の変更を加えることが可能である。
【００８５】
例えば、上記各実施形態においては、携帯用電子機器を電子辞書として説明したが、電子辞書に限られるものではなく、音声を出力することができるものであれば、特に限定されるものではない。例えば、ＰＤＡや携帯電話等の携帯情報端末や、ノート型パソコン、音楽再生機器等でも構わない。特に、本発明に係るスピーカー機構により、音声出力バランスを効率良く変化させることができるので、音楽や映画等を再生する際に有効である。
【００８６】
また、上記各実施形態では、スピーカー機構を２つ備えたスタレオタイプの電子辞書を例に挙げて説明したが、スピーカー機構が１つのモノラルタイプにしても構わない。
また、上記各実施形態では、可変手段を手動により操作して、前気室と後気室との容積比率を変化させたが、手動である必要はない。例えば、制御部によって作動するモータ等を利用して収納体とスピーカー本体との位置関係を相対的に可変させても構わない。
【００８７】
例えば、第１実施形態を例に挙げると、図２６に示すように、モータＭの駆動によって筒状部材２８をスライド移動できるように構成する。このモータＭは、回転方向及び回転量が自在に調整可能なモータを用いれば良い。つまり、この場合モータＭは、スピーカー本体２１の位置を可変させて、前気室Ｒ１と後気室Ｒ２との容積比率を変化させる可変手段として機能する。
また、入力部１２である複数の機能スイッチ１１の１つを、モータＭを作動させるスイッチとする。そして、制御部１５は、この機能スイッチ１１が押されたときの入力信号に基づいて、モータＭに作動信号を出力する作動信号制御部１５ａを備えている。この際、作動信号制御部１５ａは、機能スイッチ１１を押す位置、押した長さ等によってモータＭの回転方向及び回転量が変化するように制御信号を出力するようになっている。そして、モータＭは、送られてきた制御信号に基づいて作動し、容積比率を自動的に変化させるようになっている。
【００８８】
このように構成することで、使用者は入力部１２で入力操作を行うだけで、スピーカー本体２１の作動と、音声出力バランスの変化による音声出力調整とを自動的に行うことができる。従って、電子辞書１の使い易さをより向上することができる。
【００８９】
また、作動信号制御部１５ａを備えた場合において、アプリケーションを作動させる機能スイッチ１１が押されたときに、選択された機能スイッチ１１に対応したアプリケーションに最適な容積比率を算出すると共に、算出した容積比率となるようにモータＭに制御信号を出力するように、作動信号制御部１５ａを機能させても構わない。
【００９０】
このように構成した場合には、ネイティブ音声を聴く際に、使用者が機能スイッチ１１を押してアプリケーションを作動させると、作動信号制御部１５ａは選択されたアプリケーションに最適な容積比率を算出する。つまり、選択された国や性別に最適な音声を出力できるように、後気室Ｒ２と前気室Ｒ１との容積比率を算出する。そして、作動信号制御部１５ａは、算出した容積比率となるようにモータＭに制御信号を出力する。
すると、モータＭは、この制御信号に基づいて筒状部材２８をスライド移動させ、算出された最適な容積比率に一致させる。これにより、使用者は、選択したアプリケーションに最適な音声出力バランスでネイティブ音声を自動的に聴くことができる。つまり、英語を男性の音声で聴く場合や、イタリア語を女性の音声で聴く場合等、その状況に応じて自動的に最適な音声出力バランスで聴くことができる。従って、より使い易い電子辞書１とすることができる。
【図面の簡単な説明】
【００９１】
【図１】本発明に係る電子機器の第１実施形態を示す外観斜視図である。
【図２】図１に示す電子機器内に内蔵されたスピーカー機構の構成図である。
【図３】図２に示すスピーカー機構を構成する収納体の断面図である。
【図４】図３に示す収納体を構成する一方のカップ状部材の取付状態を示す断面図である。
【図５】図１に示す電子機器の機能ブロック図である。
【図６】図１に示す電子機器により音声出力バランスを調整している最中の状態を示す図であって、図３に示す状態から筒状部材を一方のカップ状部材側にスライド移動させて、前気室と後気室との容積比率を変化させた状態を示す図である。
【図７】図１に示す電子機器により音声出力バランスを調整している最中の状態を示す図であって、図３に示す状態から筒状部材を他方のカップ状部材側にスライド移動させて、前気室と後気室との容積比率を変化させた状態を示す図である。
【図８】図２に示す筒状部材とスライドスイッチとを、ねじを利用して固定する場合の変形例を示す図である。
【図９】本発明に係る電子機器の第２実施形態を示す図であって、スピーカー機構の周辺の構成を示す斜視図である。
【図１０】図９に示すスピーカー機構を構成する収納体の断面図である。
【図１１】図９に示す電子機器により音声出力バランスを調整している最中の状態を示す図であって、図１０に示す状態から筒状部材を他方のカップ状部材側にスライド移動させて、前気室と後気室との容積比率を変化させた状態を示す図である。
【図１２】第２実施形態の電子機器の変形例を示す図であって、スピーカー機構の周辺の構成を示す斜視図である。
【図１３】本発明に係る電子機器の第３実施形態を示す図であって、スピーカー機構の周辺の構成を示す斜視図である。
【図１４】図１３に示すスピーカー機構を構成する収納体の断面図である。
【図１５】本発明に係る電子機器の第４実施形態を示す図であって、スピーカー機構の周辺の構成を示す斜視図である。
【図１６】図１５に示すスピーカー機構を構成する収納体の断面図である。
【図１７】本発明に係る電子機器の第５実施形態を示す図であって、スピーカー機構の周辺の構成を示す斜視図である。
【図１８】図１７に示すスピーカー機構を構成する収納体の断面図である。
【図１９】図１８に示す断面矢視Ｂ−Ｂ図である。
【図２０】本発明に係る電子機器の第６実施形態を示す外観斜視図である。
【図２１】図２０に示す電子機器に内蔵されたスピーカー機構の断面図である。
【図２２】本発明に係る電子機器の第７実施形態を示す図であって、スピーカー機構の周辺の構成を示す斜視図である。
【図２３】図２２に示すスピーカー本体を下方から見た斜視図である。
【図２４】図２２に示すスピーカー機構を構成する収納体の斜視図である。
【図２５】図２２に示す電子機器により音声出力バランスを調整している最中の状態を示す図であって、図２２に示す状態からスピーカー本体を回動させて、前気室と後気室との容積比率を変化させた状態を示す図である。
【図２６】本発明に係るスピーカー機構の変形例を示す図である。
【図２７】従来のスピーカーの一般的な取付状態を示す断面図である。
【図２８】図２７に示すスピーカーから音声を出力させた状態を示す図である。
【符号の説明】
【００９２】
Ｍ…モータ（可変手段）
Ｒ１…前気室
Ｒ２…後気室
１、４０、５０、６０、７０、８０、９０…電子機器（電子辞書）
５…ケーシング（筐体）
１１…機能スイッチ
１２…入力部
１５…制御部
１５ａ…作動信号制御部
２０、４１、５１、６１、７１、８１、９１…スピーカー機構
２１…スピーカー本体
２２、７２、８２、９２…収納体
２３、５２、６２、８９、９７…放音孔
２４、７５、８８、９６…可変手段
２７、…カップ状部材
２８…筒状部材
３５、４３、５３、６３…スピーカー孔
４２…バス用放音孔
９３…プレート
９４…ヒンジ部
９５…回動機構
【図１】
2010034681.tif 000003
【図２】
2010034681.tif 000004
【図３】
2010034681.tif 000005
【図４】
2010034681.tif 000006
【図５】
2010034681.tif 000007
【図６】
2010034681.tif 000008
【図７】
2010034681.tif 000009
【図８】
2010034681.tif 000010
【図９】
2010034681.tif 000011
【図１０】
2010034681.tif 000012
【図１１】
2010034681.tif 000013
【図１２】
2010034681.tif 000014
【図１３】
2010034681.tif 000015
【図１４】
2010034681.tif 000016
【図１５】
2010034681.tif 000017
【図１６】
2010034681.tif 000018
【図１７】
2010034681.tif 000019
【図１８】
2010034681.tif 000020
【図１９】
2010034681.tif 000021
【図２０】
2010034681.tif 000022
【図２１】
2010034681.tif 000023
【図２２】
2010034681.tif 000024
【図２３】
2010034681.tif 000025
【図２４】
2010034681.tif 000026
【図２５】
2010034681.tif 000027
【図２６】
2010034681.tif 000028
【図２７】
2010034681.tif 000029
【図２８】
2010034681.tif 000030